(57)【特許請求の範囲】
【請求項１】
無線通信媒体との間で無線によりデータを送受信するためのアンテナを有する無線機と、
無線機を介して無線通信媒体から受信したデータに基づいて当該無線通信媒体の種類を判別し、この種類に応じた設定値とともに、当該設定値に基づいてアンテナの同調周波数を設定するためのコマンドを無線機に送信する上位装置と、を有し、
上記無線機は、
上位装置から送信されたコマンドおよび設定値を受信する受信部と、
受信した設定値に基づいてアンテナの同調周波数を設定する設定部と、
を有する同調周波数設定システム。
【請求項２】
上記無線機は、無線通信媒体との間の通信状況をモニタして最適な同調周波数を設定することを特徴とする請求項１に記載の同調周波数設定システム。
【請求項３】
上記無線機は、自動改札機、券売機、公衆電話等に組み込まれ、上記アンテナを介して無線カードとの間でデータを送受信することを特徴とする請求項１に記載の同調周波数設定システム。
【請求項４】
無線機のアンテナを介して上位装置が無線通信媒体からデータを受信し、
受信したデータに基づいて上位装置が当該無線通信媒体の種類を判別し、
判別した種類に応じた設定値とともに、当該設定値に基づいてアンテナの同調周波数を設定するためのコマンドを上位装置が無線機に送信し、
上位装置から送信された設定値に基づいて無線機がアンテナの同調周波数を設定する同調周波数設定方法。
【発明の詳細な説明】
【０００１】
【発明の属する技術分野】
この発明は、アンテナの同調周波数を遠隔操作により設定する同調周波数設定システム、および同調周波数設定方法に関する。
【０００２】
【従来の技術】
従来、無線機として、特定の同調周波数に設定される同調型のアンテナを備えた装置が知られている。この種の無線機において、アンテナの同調周波数を設定する場合、通常、同調用の抵抗値やコンデンサ値などを作業員が手作業により調整する。
【０００３】
【発明が解決しようとする課題】
しかし、上記のようにアンテナの同調周波数を特定の値に調整した無線機を、例えば、自動改札機のような機器筐体内に組み込むと、無線機周辺の金属部材の影響により、アンテナの同調周波数にズレを生じる場合がある。このように、同調周波数にズレを生じると、無線機としての性能を十分に発揮できなくなる。
【０００４】
このため、従来は、無線機を機器筐体内に組み込んだ後、同調周波数にズレを生じた場合、作業員が無線機を筐体から一旦取り出して手作業により同調周波数を再調整する必要があった。また、作業員の手作業により同調周波数を調整するため、調整結果にばらつきを生じ、無線機の性能が不安定になる問題があった。
【０００５】
この発明は、以上の点に鑑みなされたもので、その目的は、設置環境によらずアンテナの同調周波数を遠隔操作により容易且つ確実に最適な値に設定できる同調周波数設定システム、および同調周波数設定方法を提供することにある。
【００１０】
【課題を解決するための手段】
上記目的を達成するため、本発明の実施の形態に係る同調周波数設定システムは、無線通信媒体との間で無線によりデータを送受信するためのアンテナを有する無線機と、無線機を介して無線通信媒体から受信したデータに基づいて当該無線通信媒体の種類を判別し、この種類に応じた設定値とともに、当該設定値に基づいてアンテナの同調周波数を設定するためのコマンドを無線機に送信する上位装置と、を備え、上記無線機は、上位装置から送信されたコマンドおよび設定値を受信する受信部と、受信した設定値に基づいてアンテナの同調周波数を設定する設定部と、を備えている。
【００１３】
また、本発明の実施の形態に係る同調周波数設定方法によると、無線機のアンテナを介して上位装置が無線通信媒体からデータを受信し、受信したデータに基づいて上位装置が当該無線通信媒体の種類を判別し、判別した種類に応じた設定値とともに、当該設定値に基づいてアンテナの同調周波数を設定するためのコマンドを上位装置が無線機に送信し、上位装置から送信された設定値に基づいて無線機がアンテナの同調周波数を設定する。
【００１４】
【発明の実施の形態】
以下、図面を参照しながらこの発明の実施の形態について詳細に説明する。
【００１５】
図１には、この発明の実施の形態に係る同調周波数設定システム１（以下、単にシステム１と称する）の概略構成をブロック図にして示してある。
【００１６】
システム１は、アンテナ２および本体４を備えた無線機６、および上位装置８を有する。システム１は、自動改札機、券売機、公衆電話等に組み込まれ、アンテナ２を介して、ＩＣを搭載した無線カードＣなどの無線通信媒体との間でデータを送受信する。
【００１７】
本体４は、上位装置８との間で各種コマンドやデータを送受信するとともに無線機６全体を制御する制御回路４２（受信部）、制御回路４２から入力されるデータを電圧やパルスなどの信号に変換してアンテナ２の同調周波数を設定する設定回路４４（設定部）、設定回路４４で設定された同調周波数にアンテナ２の同調周波数をセットする同調回路４６、および上位装置８から送信された通信コマンドに基づいて無線カードＣと通信する無線回路４８を有する。
【００１８】
制御回路４２は、コマンドやデータを解析するＣＰＵ回路４２１、各種データを記憶するメモリ回路４２２（記憶部）、およびロジック回路４２３を有する。無線回路４８は、制御回路４２を介して入力されるコマンドデータを変調する変調回路４８１、およびアンテナ２を介して受信したデータを復調する復調回路４８２を有する。
【００１９】
上記構造のシステム１を自動改札機などの機器に組み込んで無線カードＣとデータの送受信を行なう場合、上位装置８から無線機本体４の制御回路４２に通信コマンドが送信される。上位装置８から送信されたコマンドデータは、無線回路４８の変調回路４８１で変調され、同調回路４６を経由してアンテナ２から無線カードＣへ送信される。
【００２０】
無線カードＣからの応答信号は、アンテナ２を介して無線回路４８で受信され、復調回路４８２で復調される。無線回路４８で復調された応答データは、制御回路４２によって上位装置８へ返送される。
【００２１】
ところで、本実施の形態のアンテナ２は、無線カードＣとの間で特定の同調周波数を用いて通信する同調型のアンテナであり、システム１の運用状況に応じて特定の同調周波数に設定される。システム１の運用状況として、例えば、システム１を組み込む機器の種類や無線カードＣの種類などがあげられる。
【００２２】
同調型のアンテナを使用する場合、従来は、システム１を機器筐体に組み込む前に、予め、システム１の運用状況に合わせてアンテナ２を特定の同調周波数に設定していた。しかし、システム１を機器筐体に組み込んだ後、実際の運用時に、アンテナ２の同調周波数が目標値からずれる場合があり、無線機６の性能を十分に発揮できない場合があった。同調周波数にずれを生じる要因として、アンテナ２周辺の金属部材による影響や、同調周波数を設定した作業員による個人差等が考えられる。
【００２３】
このため、本実施の形態では、無線機６を機器に組み込んだ後、上位装置８の遠隔操作により無線機６のアンテナ２の同調周波数を設定するようにした。遠隔操作による同調周波数の設定は、任意のタイミングで実施可能であり、システム１を機器に組み込んだとき、システム１の電源投入時、無線カードＣの種類が変わったときなどが考えられる。
【００２４】
図２には、システム１にてアンテナ２の同調周波数を設定する動作を説明するためのフローチャートを示してある。ここでは、システム１を機器筐体に組み込んだとき、およびシステム１を組み込んだ機器の電源投入時にアンテナ２の同調周波数を設定する場合について説明する。
【００２５】
まず、無線機本体４の制御回路４２にあるメモリ回路４２２に設定値が既に記憶されていないことを条件に（ステップ１；ＮＯ）、上位装置８から無線機６に対し、アンテナ２の同調周波数を設定するためのコマンドおよび設定値が送信される（ステップ２）。つまり、システム１を機器筐体に組み込んだとき、ステップ２の処理がなされる。
【００２６】
このとき、上位装置８は、システム１の運用状況に合わせてアンテナ２の同調周波数を最適な値に設定できる設定値を予め用意しており、運用状況に応じた設定値を無線機６に送信する。例えば、自動改札機に組み込まれる無線機のアンテナに適した設定値、券売機に組み込まれる無線機のアンテナに適した設定値などが、上位装置８に予め用意されている。
【００２７】
ステップ２で無線機６に送信されたコマンドおよび設定値は、制御回路４２のＣＰＵ回路４２１に入力され、ここで解析される。このとき、上位装置８から送信された設定値が無線機６のメモリ回路４２２に記憶される（ステップ３）。ステップ３で記憶した設定値は、機器の電源投入時に読み出されて利用される。
【００２８】
ＣＰＵ回路４２１で解析された設定値に関するデータは、ロジック回路４２３を介して設定回路４４に出力される。設定回路４４に入力されたデータは、ここで、電圧やパルスなどの信号に変換される。そして、設定回路４４にて、アンテナ２の同調周波数が設定される（ステップ４）。
【００２９】
さらに、設定回路４４で設定された同調周波数が同調回路４６に出力されて、アンテナ２の同調周波数がセットされる。
【００３０】
一方、ステップ１でメモリ回路４２２に既に設定値が記憶されていることが判断された場合（ステップ１；ＹＥＳ）、つまり電源投入時には、制御回路４２のメモリ回路４２２から設定値が読み出され（ステップ５）、ステップ４の処理に移行されて同調周波数が設定される。
【００３１】
以上のように、本実施の形態によると、無線機６のアンテナ２の同調周波数を上位装置８からの遠隔操作により設定できる。このため、システム１を機器に組み込む前にアンテナ２の同調周波数を調整する必要がなくなり、作業員による作業負担を大幅に低減できる。また、システム１を機器に組み込んだ後に同調周波数がずれた場合、システム１を機器から取り出すことなく同調周波数を調整でき、調整作業を容易にできる。
【００３２】
特に、機器筐体内にシステム１を組み込んだ後にアンテナ２の同調周波数を遠隔操作により設定できるため、システム１を組み込む機器の状況、例えばアンテナ２周辺にある金属部材の影響を考慮して同調周波数を最適な値に設定できる。また、無線カードＣとの間の通信状況をモニタして最適な同調周波数を設定することもでき、通信性能を最大に発揮できる同調周波数を測定することもできる。
【００３３】
次に、上述したシステム１でアンテナ２の同調周波数を設定する別の方法について、図３に示すフローチャートを参照して説明する。
【００３４】
まず、無線機本体４の制御回路４２にあるメモリ回路４２２に予め用意されている複数の設定値のうちの１つが既に選択されていないことを条件に（ステップ１；ＮＯ）、上位装置８から無線機６に対し、アンテナ２の同調周波数を設定するためのコマンドが送信される（ステップ２）。
【００３５】
つまり、無線機６のメモリ回路４２２には、予め、システム１を組み込む機器の種類や無線カードＣの種類に応じて複数の設定値が用意されており、これら複数の設定値のうちシステムの運用状況に合った設定値を選択させるためのコマンドが上位装置８から無線機６に送信される。
【００３６】
ステップ２で上位装置８から無線機６にコマンドが送信されると、無線機本体４の制御回路４２は、コマンドに基づく設定値をメモリ回路４２２に記憶されている複数の設定値から選択する（ステップ３）。選択された設定値は、ＣＰＵ回路４２１に入力されて解析される。
【００３７】
ＣＰＵ回路４２１で解析された設定値に関するデータは、ロジック回路４２３を介して設定回路４４に出力される。設定回路４４に入力されたデータは、ここで、電圧やパルスなどの信号に変換される。そして、設定回路４４にて、アンテナ２の同調周波数が設定される（ステップ４）。
【００３８】
さらに、設定回路４４で設定された同調周波数が同調回路４６に出力されて、アンテナ２の同調周波数がセットされる。
【００３９】
一方、ステップ１で既に設定値が選択されていることが判断された場合（ステップ１；ＹＥＳ）、この選択されている設定値が読み出され（ステップ５）、ステップ４の処理に移行されて同調周波数が設定される。
【００４０】
以上のように、この方法においても、アンテナ２の同調周波数を上位装置８の遠隔操作により設定でき、上述した実施の形態と同様の効果を奏することができる。
【００４１】
次に、上述したシステム１で無線カードＣの種類を判別し、この種類に応じてアンテナ２の同調周波数を設定する方法について、図４に示すフローチャートを参照して説明する。尚、この設定動作は、例えば、システム１の運用状況が変わって無線カードＣの種類が変わったタイミングでなされる。
【００４２】
システム１を機器に組み込んだ状態でアンテナ２に無線カードＣが翳されたとき（ステップ１；ＹＥＳ）、上位装置８からの通信コマンドに基づいて無線カードＣからシステムコードが読み取られる（ステップ２）。システムコードは、無線カードＣに固有のコードであり、このコードに基づいて無線カードＣの種類を判別できる。
【００４３】
上位装置８にて、ステップ２で無線カードＣから読み取ったシステムコードに基づいて、当該無線カードＣの種類が判別される。そして、上位装置８にて、無線カードＣの種類に応じて予め用意した複数の設定値から、当該無線カードＣの種類に合った設定値が選択され、同調周波数の設定コマンドとともに選択された設定値が無線機６に送信される（ステップ３）。
【００４４】
ステップ３で無線機６に送信されたコマンドおよび設定値は、制御回路４２のＣＰＵ回路４２１に入力され、ここで解析される。このとき、上位装置８から送信された設定値が無線機６のメモリ回路４２２に記憶される（ステップ４）。ステップ４で記憶した設定値は、無線カードＣの種類が変わるまで、読み出されて利用される。
【００４５】
ＣＰＵ回路４２１で解析された設定値に関するデータは、ロジック回路４２３を介して設定回路４４に出力される。設定回路４４に入力されたデータは、ここで、電圧やパルスなどの信号に変換される。そして、設定回路４４にて、アンテナ２の同調周波数が設定される（ステップ５）。
【００４６】
さらに、設定回路４４で設定された同調周波数が同調回路４６に出力されて、アンテナ２の同調周波数がセットされる。
【００４７】
以上のように、無線カードＣの種類に応じてアンテナ２の同調周波数を設定できることから、システム１の運用状況が変わって取り扱う無線カードＣの種類が変わった場合でも直ぐに対応できる。
【００４８】
尚、この発明は、上述した実施の形態に限定されるものではなく、この発明の範囲内で種々変形可能である。
【００４９】
【発明の効果】
以上説明したように、この発明の同調周波数設定システムは、上記のような構成および作用を有しているので、設置環境によらずアンテナの同調周波数を容易且つ確実に最適な値に設定できるとともに、アンテナの同調周波数を遠隔操作により設定できる。
【図面の簡単な説明】
【図１】この発明の実施の形態に係る同調周波数設定システムの概略構成を示すブロック図。
【図２】図１のシステムでアンテナの同調周波数を設定する方法について説明するためのフローチャート。
【図３】図１のシステムでアンテナの同調周波数を設定する別の方法について説明するためのフローチャート。
【図４】図１のシステムで無線カードの種類に応じてアンテナの同調周波数を設定する方法について説明するためのフローチャート。
【符号の説明】
１…同調周波数設定システム、２…アンテナ、４…無線機本体、６…無線機、８…上位装置、４２…制御回路、４２１…ＣＰＵ回路、４２２…メモリ回路、４２３…ロジック回路、４４…設定回路、４６…同調回路、４８…無線回路、４８１…変調回路、４８２…復調回路、Ｃ…無線カード。
【図１】
0003990171.tif 000002
【図２】
0003990171.tif 000003
【図３】
0003990171.tif 000004
【図４】
0003990171.tif 000005